(57)【要約】      （修正有）【課題】皮膚に局所的な圧迫が発生することを低減し、圧迫創の予防効果を高めることができるストッキングを提供する。【解決手段】本体部１０１と、本体部１０１の上端側にあり、足を挿入する開口部１０２と、足先を覆う足先被覆部１０５と、足首と甲との間の足の屈曲部に対面する屈曲被覆部１０３と、少なくとも第一中足骨先端及び又は第五中足骨先端に対面する足趾付け根部１０４と、を備え、本体部１０１を構成する第一の編地本体は、第一のコース編目列群と、複数の弾性糸の列と、で形成されてなり、屈曲被覆部１０３を構成する第二の編地本体は、第二のコース編目列群と、複数の前記弾性糸の列と、で形成され、ウェール方向の伸長率は２５０％以上となるように形成されてなり、足趾付け根部１０４を構成する第三の編地本体は、第三のコース編目列群と、複数の弾性糸の列と、で形成され、ウェール方向の伸長率は２５０％以上となるように形成されてなる。【選択図】図１
0003206234.tif 000002
【実用新案登録請求の範囲】
【請求項１】
本体部と、
前記本体部の上端側にあり、足を挿入する開口部と、
足先を覆う足先被覆部と、
足首と甲との間の足の屈曲部に対面する屈曲被覆部と、
少なくとも第一中足骨先端及び又は第五中足骨先端に対面する足趾付け根部と、を備え、
前記本体部を構成する第一の編地本体は、
ベース糸で編成された第一の編目をコース方向に複数並べて形成された第一のコース編目列が、ウェール方向に複数列形成された第一のコース編目列群と、
前記第一のコース編目列に沿わせるようにして、ウェール方向に形成される複数の弾性糸の列と、で形成されてなり、
前記屈曲被覆部を構成する第二の編地本体は、
前記ベース糸で編成された第二の編目をコース方向に複数並べて形成された第二のコース編目列が、ウェール方向に複数列形成された第二のコース編目列群と、
前記第二のコース編目列に沿わせるようにして、ウェール方向に形成される複数の前記弾性糸の列と、で形成され、ウェール方向の伸長率は２５０％以上となるように形成されてなり、
前記足趾付け根部を構成する第三の編地本体は、
前記ベース糸で編成された第三の編目をコース方向に複数並べて形成された第三のコース編目列が、ウェール方向に複数列形成された第三のコース編目列群と、
前記第三のコース編目列に沿わせるようにして、ウェール方向に形成される複数の前記弾性糸の列と、で形成され、ウェール方向の伸長率は２５０％以上となるように形成されてなる、
ストッキング。
【請求項２】
前記屈曲被覆部を構成する前記第二の編地本体のコース数は２．５４ｃｍ当たり６５〜９０列、ウェール数は２．５４ｃｍ当たり５０〜８０列であり、
前記足趾付け根部を構成する前記第三の編地本体のコース数は２．５４ｃｍ当たり５０〜７０列、ウェール数は２．５４ｃｍ当たり６５〜９０列である、請求項１に記載のストッキング。
【請求項３】
前記屈曲被覆部を構成する前記第二の編地本体のコース数は２．５４ｃｍ当たり７４〜８０列、ウェール数は２．５４ｃｍ当たり６２〜６９列であり、
前記足趾付け根部を構成する前記第三の編地本体のコース数は２．５４ｃｍ当たり５６〜６２列、ウェール数は２．５４ｃｍ当たり７４〜８０列である、請求項１に記載のストッキング。
【請求項４】
前記第二の編地本体の衣服圧は４．３ｋＰａ以下であり、
前記第三の編地本体の衣服圧は４．３ｋＰａ以下である、
請求項１から３のいずれか１項に記載のストッキング。
【請求項５】
モニターホールを有する、請求項１から４のいずれか１項に記載のストッキング。
【請求項６】
前記開口部の衣服圧は、前記本体部より低い、請求項１から５のいずれか１項に記載のストッキング。
【考案の詳細な説明】
【技術分野】
【０００１】  本考案は、人の脚部に着用するストッキングに関し、特に皺などで局所的に強い圧迫圧がかかることを低減するストッキングに関する。
【背景技術】
【０００２】  従来のストッキングについて説明する。図３は従来のストッキングを表す側面図である。従来のストッキング３００は、足先からふくらはぎにかけての部分を覆うように構成され、上端側に足を挿入する足挿入用の開口部３１１を備えている。また、ふくらはぎを覆うふくらはぎ被覆部３０２、足首を覆う足首被覆部３０３、足の甲を覆う甲被覆部３０４、足首と足の甲との間の足の屈曲部を覆う屈曲被覆部３０５、足先を覆う足先被覆部３０６、足の踵を覆う踵被覆部３０７、足の裏を覆う足裏被覆部３０８を備えている。【０００３】  ふくらはぎ被覆部３０２、足首被覆部３０３、甲被覆部３０４、屈曲被覆部３０５、足先被覆部３０６、踵被覆部３０７、足裏被覆部３０８は、図４に示す編地本体４０９を筒状の形状にして用いている。編地本体４０９では、ベース糸４９１を編成することで編目４９３が形成され、編目４９３をコース方向（図４のＹ−Ｙ方向）に並んで形成することでコース編目列４９４が形成される。そして、コース編目列４９４が、ウェール方向（図４のＸ−Ｘ方向）に複数の列を形成することで群からなるコース編目列群４９０が形成される。【０００４】  弾性糸４９５は、コース編目列４９４ごとに編目４９３に挿入され、ウェール方向に所定の距離を隔てて複数の弾性糸４９５の列が形成される。このようにして形成されたコース編目列４９４と複数の弾性糸４９５の列により編地本体４０９が形成される。【０００５】  ふくらはぎ被覆部３０２、足首被覆部３０３のコース編目列４９４のコース方向の列の数に対する弾性糸４９５の列の数の割合は概ね等しくなっている。一方、甲被覆部３０４、屈曲被覆部３０５、足先被覆部３０６、踵被覆部３０７、足裏被覆部３０８のコース編目列４９４のコース方向の列の数に対する弾性糸４９５の列の数の割合は約半分程度になっている。このように弾性糸４９５の割合の違いにより、ふくらはぎ被覆部３０２、足首被覆部３０３と比較して甲被覆部３０４、屈曲被覆部３０５、足先被覆部３０６、踵被覆部３０７、足裏被覆部３０８では、編地弾性力が弱くなる。【０００６】  上記の構成を備えたストッキング３００は、ふくらはぎ被覆部３０２、足首被覆部３０３では皮膚にかかる圧力（着圧）を強く、甲被覆部３０４、屈曲被覆部３０５、足先被覆部３０６、踵被覆部３０７、足裏被覆部３０８では皮膚にかかる圧力を弱くすることが出来る。そして、上記の構成を備えたストッキング３００を着用することで、屈曲被覆部３０５が皺状になり難く、皺が足の屈曲部に食い込み難いものにでき、足首被覆部３０３からふくらはぎ被覆部３０２にかけての血行を良くすることが出来る（例えば、特許文献１参照）。
【先行技術文献】
【特許文献】
【０００７】
【特許文献１】特開２０１１−９４２５０号公報
【考案の概要】
【考案が解決しようとする課題】
【０００８】  しかしながら従来のストッキングでは、ふくらはぎ被覆部３０２、足首被覆部３０３に比較して屈曲被覆部３０５の着圧を低くしたストッキングでも皺の発生を十分に抑えることが出来ず、発生した皺によって皮膚に局所的に強い圧迫がかかり圧迫創が発生するという課題があった。また、甲被覆部３０４等の皺が発生しにくい箇所であっても、局所的な過圧迫がかかることがあり、圧迫創が発生するという課題があった。本考案では皺の発生や過圧迫の発生を低減し、従来のストッキングに比べ、圧迫創の予防効果を高めることができるストッキングを提供する。
【課題を解決するための手段】
【０００９】  従来の課題を解決するため、本考案のストッキングは以下のような構成とした。
本体部と、前記本体部の上端側にあり、足を挿入する開口部と、足先を覆う足先被覆部と、足首と甲との間の足の屈曲部に対面する屈曲被覆部と、少なくとも第一中足骨先端及び又は第五中足骨先端に対面する足趾付け根部と、を備え、前記本体部を構成する第一の編地本体は、ベース糸で編成された第一の編目をコース方向に複数並べて形成された第一のコース編目列が、ウェール方向に複数列形成された第一のコース編目列群と、前記第一のコース編目列に沿わせるようにして、ウェール方向に形成される複数の弾性糸の列と、で形成されてなり、前記屈曲被覆部を構成する第二の編地本体は、前記ベース糸で編成された第二の編目をコース方向に複数並べて形成された第二のコース編目列が、ウェール方向に複数列形成された第二のコース編目列群と、前記第二のコース編目列に沿わせるようにして、ウェール方向に形成される複数の前記弾性糸の列と、で形成され、ウェール方向の伸長率は２５０％以上となるように形成されてなり、前記足趾付け根部を構成する第三の編地本体は、前記ベース糸で編成された第三の編目をコース方向に複数並べて形成された第三のコース編目列が、ウェール方向に複数列形成された第三のコース編目列群と、前記第三のコース編目列に沿わせるようにして、ウェール方向に形成される複数の前記弾性糸の列と、で形成され、ウェール方向の伸長率は２５０％以上となるように形成されてなる。
【考案の効果】
【００１０】  本考案のストッキングは、着用時の皺の発生による皮膚への局所的な圧迫を低減し、皺が発生しにくい箇所においても皮膚への局所的な圧迫の発生を低減することで、従来のストッキングに比べ、圧迫創の予防効果を高めることができる。
【図面の簡単な説明】
【００１１】
【図１】本実施形態に係るストッキングの側面図である。
【図２】本実施形態に係るストッキングの編構造を示す図である。
【図３】従来のストッキングの側面図である。
【図４】従来のストッキングの編構造を示す図である。
【考案を実施するための形態】
【００１２】  以下、本考案を実施するための形態の一例を図面に基づき詳しく説明する。なお、以下に説明する実施形態は、本考案の代表的な実施形態の一例を示したものであり、これにより本考案の範囲が狭く解釈されることはない
【００１３】［ストッキングの全体構成］
本実施形態に係るストッキングの全体構成について説明する。図１に、本実施形態に係るストッキングの側面図を示す。本実施形態に係るストッキングは、着用時に足先やふくらはぎから膝１００のやや下にかけての部分を覆うように構成されている。そして、本実施形態に係るストッキングは、膝１００のやや下に位置し上端側に足を挿入する足挿入用の開口部１０２と、ふくらはぎなどを覆う本体部１０１と、足首と足の甲との間の足の屈曲部を覆う屈曲被覆部１０３と、第一中足骨先端から第五中足骨先端を覆う足趾付け根部１０４と、足先を覆う足先被覆部１０５を備えている。
【００１４】  屈曲被覆部１０３、足趾付け根部１０４、足先被覆部１０５の位置について説明する。屈曲被覆部１０３は本実施形態に係るストッキングの着用時に足首と足の甲との間の足の屈曲部に対面するように設けられている。足趾付け根部１０４は本実施形態に係るストッキングの着用時に第一中足骨先端から第五中足骨先端の中足骨部に対面するように設けられている。足先被覆部１０５は本実施形態に係るストッキングの着用時に足の指に対面するように設けられている。ストッキングの屈曲被覆部１０３と足趾付け根部１０４のウェール方向（図２のＸ−Ｘ方向）の伸長率が３００％以上であると、編地本体２１２が皮膚の伸び縮みに追従することができるため皺の発生を低減することができる。また、ストッキングの屈曲被覆部１０３と足趾付け根部１０４の衣服圧が４．３ｋＰａ以下であると皮膚への局所的な圧迫の発生を低減することができる。
【００１５】［編地本体の構成］
本実施の形態に係るストッキングは、図２に示すようにベース糸２０３で編成した編目に弾性糸２０２を挿入して構成した編地本体２１２を筒状に形成して構成される。
編地本体２１２の構成について詳細に説明する。編目２０１がベース糸２０３を編成することで形成され、編目２０１を図２のＹ−Ｙ方向（以下、コース方向）に並べて構成することでコース編目列２１１が形成される。そして、コース編目列２１１を、図２のＸ−Ｘ方向（以下、ウェール方向）に複数の列を成すようにさらに形成することでコース編目列群２１０が形成される。弾性糸２０２は、コース編目列２１１ごとに編目２０１に挿入され、ウェール方向に所定の距離を隔てて複数の弾性糸２０２の列が形成される。
【００１６】  このようにして形成されたコース編目列群２１０と複数の弾性糸２０２の列により編地本体２１２が形成される。なお、編地本体２１２はベース糸で編んだ編目に、弾性糸を挿入して編みこんだものであればよく、平編み、ゴム編、パール編等で形成した編目に弾性糸を挿入した編地本体を好適に用いることができる。
【００１７】［編糸］
本実施の形態に係るストッキングの編地本体２１２で用いられるベース糸２０３は、特に限定されず、例えば、スパンデックス、ナイロン糸、ポリエステル、混紡糸等を使用する事ができる。なかでも、スパンデックスをウーリーナイロン糸でシングルカバー又はダブルカバーしたカバリング糸を使用する事が好ましい。
【００１８】  弾性糸２０２は、特に限定されず、例えば、スパンデックス、ゴム糸等を使用する事ができる。なかでも、スパンデックスをナイロン糸でダブルカバーした弾性糸又はスパンデックスベアー糸を使用する事が好ましい。
【００１９】［ストッキングの詳細構成］
本実施の形態に係るストッキングは、筒状に形成された編地本体２１２を用いて構成される。そして、本実施の形態に係るストッキングは、本体部１０１、屈曲被覆部１０３、足趾付け根部１０４と、足先被覆部１０５、開口部１０２を備えている。各部位に用いる編地本体２１２は、別々に編み上げた後統合してストッキングを構成してもよいし、各部位に用いる編地本体２１２を統合するのではなく一度に編み上げてストッキングを構成してもよく、適宜変更することが出来る。
【００２０】  本体部１０１を構成する第一の編地本体について説明する。第一の編目２０１が、ベース糸２０３を編成することで形成され、第一の編目２０１を図２のコース方向に並べて形成することで第一のコース編目列２１１が形成される。そして、第一のコース編目列２１１を、図２のウェール方向に複数の列を成すようにさらに形成することで第一のコース編目列群２１０が形成される。第一の弾性糸２０２は、第一のコース編目列２１１ごとに第一の編目２０１に挿入され、ウェール方向に所定の距離を隔てて複数の第一の弾性糸２０２の列が形成される。このようにして形成された第一のコース編目列群２１０と複数の弾性糸２０２の列により第一の編地本体２１２（第一の編地本体）が形成される。
【００２１】  屈曲被覆部１０３を構成する第二の編地本体は、本体部１０１の第一の編地本体と同様に形成され、第二のコース編目列群２１０と複数の弾性糸２０２の列により第二の編地本体２１２（第二の編地本体）が形成される。
足趾付け根部１０４を構成する第三の編地本体も、本体部１０１の第一の編地本体と同様に形成され、第三のコース編目列群２１０と複数の弾性糸２０２の列により第三の編地本体２１２（第三の編地本体）が形成される。
足先被覆部１０５を構成する第四の編地本体も、本体部１０１の第一の編地本体と同様に形成され、第四のコース編目列群２１０と複数の弾性糸２０２の列により第四の編地本体２１２（第四の編地本体）が形成される。
開口部１０２を構成する第五の編地本体も、本体部１０１の第一の編地本体と同様に形成され、第五のコース編目列群２１０と複数の弾性糸２０２の列により第五の編地本体２１２（第五の編地本体）が形成される。
なお、足先被覆部１０５を構成する第四の編地本体と開口部１０２を構成する第五の編地本体は、弾性糸２０２の列を用いずに形成してもよい。
【００２２】  本体部１０１を構成する第一の編地本体は、所望の衣服圧とウェール方向の伸長率を安定させて発揮させる観点から、第一の編地本体のウェール数とコース数を、２．５４ｃｍ当たり６０〜１２５列のウェールと、４０〜８０列のコースからなる編構造で形成することが好ましい。より好ましくは、２．５４ｃｍ当たり７０〜１１７列のウェールと、４５〜７２列のコースからなる編構造である。
衣服圧は１．２ｋＰａ以上にする事ができる。中でも１．２ｋＰａから３．１ｋＰａが好ましい。
ウェール方向の伸長率は２５０％以上にすることができる。中でも２８０％から３８０％が好ましい。
【００２３】  屈曲被覆部１０３を構成する第二の編地本体は、所望の衣服圧とウェール方向の伸長率を安定させて発揮させる観点から、第二の編地本体のウェール数とコース数を２．５４ｃｍ当たり５０〜８０列のウェールと、６５〜９０列のコースからなる編構造で形成することが好ましく、２．５４ｃｍ当たり６２〜６９列のウェールと、７４〜８０列のコースからなる編構造で形成するとより好ましい。
衣服圧は４．３ｋＰａ以下にする事ができる。中でも１．７ｋＰａから３．１ｋＰａが好ましい。
ウェール方向の伸長率は２５０％以上にすることができる。中でも２８０％から３８０％が好ましい。
【００２４】  足趾付け根部１０４を構成する第三の編地本体は、所望の衣服圧とウェール方向の伸長率を安定させて発揮させる観点から、第三の編地本体のウェール数とコース数を２．５４ｃｍ当たり６５〜９０列のウェールと、５０〜７０列のコースからなる編構造で形成することが好ましく、２．５４ｃｍ当たり７４〜８０列のウェールと、５６〜６２列のコースからなる編構造で形成するとより好ましい。
衣服圧は４．３ｋＰａ以下にする事ができる。中でも１．７ｋＰａから３．１ｋＰａが好ましい。
ウェール方向の伸長率は２５０％以上にすることができる。中でも２８０％から３８０％が好ましい。
【００２５】  足先被覆部１０５を構成する第四の編地本体は、所望の衣服圧とウェール方向の伸長率を安定させて発揮させる観点から、第四の編地本体のウェール数とコース数を２．５４ｃｍ当たり６５〜９０列のウェールと、５０〜７０列のコースからなる編構造で形成することが好ましい。
衣服圧は４．３ｋＰａ以下にする事ができる。中でも１．７ｋＰａから３．１ｋＰａが好ましい。
ウェール方向の伸長率は１２０％以上にすることができる。中でも１５０％以上が好ましい。
【００２６】  開口部１０２を構成する第五の編地本体は、本体部１０１より低い所望の圧迫圧を安定させて発揮させる観点から、第五の編地本体のウェール数とコース数を２．５４ｃｍ当たり６０〜１２５列のウェールと、４０〜８０列のコースからなる編構造で形成することが好ましい。
衣服圧は１．２ｋＰａ未満にできる。中でも０．７ｋＰａ以下が好ましい。
ウェール方向の伸長率は１２０％以上にすることができる。中でも１５０％以上が好ましい。
【００２７】［製品例］
本実施形態の構成の対象は、一例としてストッキングとしているが、ストッキングに限らず、パンティストッキングやタイツ、靴下、下肢用サポーター、その他の下半身を被覆する衣類（男性用および女性用を問わない）等に本実施形態と同様の構成を使用してもよい。また、本実施形態の構成を、足先被覆部１０５に足を観察するためのモニターホールを備えた衣類や足先を開放した衣類に使用してもよい。モニターホールは足先被覆部１０５に設けることが好ましい。
【実施例】
【００２８】  以下、前述の実施形態に係るストッキングについて実施例を用いて具体的に説明する。なお、以下に説明する実施例は、本考案に関する代表的な例を示したものであり、これにより本考案の範囲が狭く解釈されることはない。
本実施例において、ストッキングに関する各特性は、以下の方法により測定した。【００２９】［衣服圧（ｋＰａ）］
衣服圧の測定は、実施例に係るストッキングを着用した被験者の足の皮膚とストッキングの間に、ＡＭＩ社製エアパック式衣服圧測定装置を装着して測定した。測定部位は、実施例に係るストッキング着用時、実施例に係るストッキングの屈曲被覆部１０３、足趾付け根部１０４、本体部１０１、開口部１０５に対面する被験者の足の部位を対象とした。【００３０】［伸長率（％）］
実施例に係るストッキングの開口部３１１の下端から踵被覆部３０７上端の直線距離（Ｌ）と、実施例に係るストッキングの開口部３１１の下端及び踵被覆部３０７の上端を引張り試験機（チェトメ社製  エレクトリックサイズテスター）に取り付け、実施例に係るストッキングをウェール方向に荷重４．７ｋｇで引っ張ったときの最大伸長距離Ｅ（ｍｍ）を測定し、次式により伸長率を算出した。
伸長率（％）＝（Ｅ／Ｌ）×１００
【実施例１】
【００３１】  実施例１に係るストッキングの屈曲被覆部１０３と足趾付け根部１０４では、第二の編地本体と第三の編地本体の２．５４ｃｍ当たりのウェール数とコース数を調整し、ウェール方向の伸長率が３３６％になり、屈曲被覆部１０３、足趾付け根部１０４の衣服圧が３．１ｋＰａになる編地本体を用いた。
実施例１に係るストッキングの開口部１０５では、屈曲被覆部１０３と同様に第五の編地本体を調整し、開口部１０５に対面する被験者の足の部位の衣服圧が本体部１０１の衣服圧より低い編地本体を用いた。
実施例１に係るストッキングは、屈曲被覆部１０３、足趾付け根部１０４、開口部１０５に上記の編地本体を用いることで、屈曲被覆部１０３では皺が発生しにくくなり、従来のストッキングに比べ圧迫創を予防する効果を高める事が出来る。また、足趾付け根部１０４や開口部１０５では過圧迫を低減し、従来のストッキングに比べ圧迫創を予防する効果を高める事が出来る。
【符号の説明】
【００３２】１００  膝
１０１  本体部
１０２、３１１  開口部
１０３、３０５  屈曲被覆部
１０４  足趾付け根部
１０５、３０６  足先被覆部
２０１  編目
２０２、４９５  弾性糸
２０３、４９１  ベース糸
２１０  コース編目列群
２１１  コース編目列
２１２、４０９  編地本体
３００  ストッキング
３０２  ふくらはぎ被覆部
３０３  足首被覆部
３０４  甲被覆部
３０７  踵被覆部
３０８  足裏被覆部
４９０  コース編目列群
４９３  編目
４９４  コース編目列
【図１】
0003206234.tif 000003
【図２】
0003206234.tif 000004
【図３】
0003206234.tif 000005
【図４】
0003206234.tif 000006